(57)【要約】      （修正有）【課題】特別な開口器具を使うことなく容易に開口することができるポリ袋を提供する。【解決手段】対向する一対の平面部１２，１３と、内側に折り込まれた対向する一対のガゼット形状の側面部とを備えるポリ袋であって、前記一対の側面部は一方の側面部が第一まち部１５と第二まち部１６で構成され、対向する他方の側面部が第三まち部17と前記第一まち部に対し対角線上に配置される第四まち部１８とで構成され、前記第一まち部１５の幅を前記第二まち部１６の幅より2ｍｍ以上広くし且つ前記第三まち部１７より前記第四まち部１８の幅を2ｍｍ以上広くしたことを特徴とするポリ袋。【選択図】図１（Ａ）
2015189510.tif 000002
【特許請求の範囲】
【請求項１】
対向する一対の平面部と、内側に折り込まれた対向する一対のガゼット形状の側面部とを備えるポリ袋であって、
前記一対の側面部は一方の側面部が第一まち部と第二まち部で構成され、対向する他方の側面部が第三まち部と前記第一まち部に対し対角線上に配置される第四まち部とで構成され、前記第一まち部の幅を前記第二まち部の幅より2ｍｍ以上広くし且つ前記第三まち部より前記第四まち部の幅を2ｍｍ以上広くしたことを特徴とするポリ袋。
【発明の詳細な説明】
【技術分野】
【０００１】
本発明は、業務用及び家庭用のゴミ袋やスーパー等で買い物客に提供されるレジ袋等のいわゆるポリ袋に関する。
【背景技術】
【０００２】
従来、スーパーや小売店などにおいて使用されるレジ袋は、ポリエチレン等の合成樹脂製薄片を材料としている。
上方を開放した有底袋体本体の上端縁左右両側には、対向する上端縁間に架設した左右１対の手提げ部を設けたものが一般的である。
前記従来のレジ袋は、円筒状合成樹脂製薄片を長さ方向に所定長さに切断後、円筒状合成樹脂製薄片の左右両側を内側に折り込み、且つ内側を密接して２つ折りのシート状にする。
そして、下端縁をヒートシール加工により閉塞して左右両側にガゼットを具備した有底袋体本体を形成する。上部は中央部を略矩形状に切り欠いて商品出入口にして左右両側はＪ状の切縁を設ける。
該Ｊ状切縁と商品出入口の切縁をヒートシール加工とで上下に重ね合わせた手提げ片を左右に対設する。
上下に重ね合わせた手提げ片の上端縁をヒートシール加工により接続して左右１対の手提げ部を、有底袋体本体の上端間をかけ渡して形成するものである。  
このガゼットを具備した合成樹脂製薄袋は、その製造工程で向いあわせた袋状物を熱着、切断等しているため袋自体が静電気などにより密着している。
【０００３】
また、レジに設置されているロール巻きポリ袋は、円筒状合成樹脂薄片を畳み込みシート状に密着され長さ方向に所定長さ毎にヒートシール加工とミシン目が入れられている。
ヒートシール加工により袋としての底面が形成され、ミシン目によりロール巻き形状から切り離し一つの袋として使用される。
レジ袋同様に、製造工程で向いあわせた袋状物を熱着、切断等しているためロール巻きポリ袋自体もまた静電気などにより密着している。
【０００４】
このため、これらのポリ袋内に物を入れる時に開口部の開口に時間が掛かる。
【０００５】
それに対して、濡れ布きん、スポンジなどで指先を濡らす等の工夫をする等、開口を容易にするためのいくつかの提案がされている。
【０００６】
特許文献１及び２は、開口器具を使用するものであり、特許文献３，４，５は、袋自体に開口し易くする機能を具備したものである。
【０００７】
特許文献１は、「ポリ袋の口の付近をこのトングで挟むことにより、トングに取り付けたゲル状シールの粘着力とトングが挟んだ後に元に戻ろうとする力によって、ポリ袋の口を簡単に開く事ができる。」と記載されている。
【０００８】
特許文献２は、「本発明は、リング形状部に挿脱自在に指を挿入して装着するだけで、リング形状部から伸びて構成されたもう一方の挟み部が常にほかの指で自由に挟めるよう形成されているため、袋の開口部を簡単に開口出来るものとなる。」と記載されている。
【０００９】
特許文献３は、「本考案はビニール袋の開口縁の表面に凹凸をつけ滑り止め面を設け滑り難くさせ、開封の際の困難を回避することができる。」と記載されている。
【００１０】
特許文献４は、「レジ袋の上部・中央に一辺１ｃｍの+状の切れ目を入れ、乾いた手では開けにくい、袋の開け口の開きを容易にする工夫を加えたレジ袋」「よって、本考案により、手間と衛生面の問題を解決できます。」と記載されている。
【００１１】
特許文献５は、「スーパーのレジ袋やゴミ袋等のポリ袋の表面と裏面に折り返し部を形成したことを特徴とするポリ袋。」「両側に引っ張るだけで誰でも楽に開けられる。」と記載されている。
【００１２】
特許文献６には、レジ袋のインフレーション法の製造方法を示す図１、図２、図３、図４が掲載されている。
【００１３】
【特許文献１】実用新案登録第３１６５４９７号
【特許文献２】特開２０１１−１５２９２２号公報
【特許文献３】実用新案登録第３０１９１９９号
【特許文献４】実用新案登録第３１１２７２０号
【特許文献５】特開２００８−１２７１００号公報
【特許文献６】実用新案登録第３０６９６４２号
【発明の概要】
【発明が解決しようとする課題】
【００１４】
しかし、上記従来の方法またはポリ袋では次のような問題点があった。
（ア）指先を濡らすための布きんとかスポンジなどは不特定多数の人が使用するため、管理が行き届いてないと雑菌が繁殖することもあり不衛生であると感じる人が多い。
（イ）器具を別途準備しておく必要がある。
（ウ）指先が乾燥している時などは滑って開口しにくい場合がある。
（エ）ポリ袋の中央部に折り返しをつけ、袋の両側を引っ張り広げることにより静電気により密着した内面同士を剥離させ開口するものがあるが、折り返し面は密着した面全体の一部分であり、且つ同一軸上での引っ張り合いになり引っ張り方向に対し開口方向は直角方向のために、静電気で密着している面に対して十分な開口を促すことができなかった。
【００１５】
本発明は上記課題を解決するためのものであり、特別な開口器具を使うことなく容易に開口部を開口することができるポリ袋を提供するものである。
【課題を解決するための手段】
【００１６】
上記課題を解決するために本発明は、
対向する一対の平面部と、内側に折り込まれた対向する一対のガゼット形状の側面部とを備えるポリ袋であって、
前記一対の側面部は一方の側面部が第一まち部と第二まち部で構成され、対向する他方の側面部が第三まち部と前記第一まち部に対し対角線上に配置される第四まち部とで構成され、前記第一まち部の幅を前記第二まち部の幅より2ｍｍ以上広くし且つ前記第三まち部より前記第四まち部の幅を2ｍｍ以上広くしたことを特徴とするポリ袋。
【００１７】
尚、一方の側面部を構成する第一まち部と第二まち部において、幅の広い方を、第一まち部と定義する。
【００１８】
ここで、「ポリ袋」とは、塩化ビニール、ポリエチレン、ポリエステル等のようなポリマーから成る薄膜を用いた袋をいう。
【００１９】
また、ポリ袋はレジ袋及び後述するロール巻きポリ袋、ロール袋を含む用語として使用している。
【００２０】
さらに「開口部を開口する」とはポリ袋の開口部を完全に開口するという意味ではなく静電気で密着した面を剥離し、開口部を広げるのに容易な状態にすることをいう。
【発明の効果】
【００２１】
以上の説明から明らかなように、本発明にあっては次に記した効果が得られる。
【００２２】
対向する一対の平面部と、内側に折り込まれた対向する一対のガゼット形状の側面部とを備えるポリ袋であって、
前記一対の側面部は一方の側面部が第一まち部と第二まち部で構成され、対向する他方の側面部が第三まち部と前記第一まち部に対し対角線上に配置される第四まち部とで構成されている。
前記第一まち部の幅を前記第二まち部の幅より2ｍｍ以上広くし且つ前記第三まち部より前記第四まち部の幅を2ｍｍ以上広くすることで、前記第一まち部と前記第四まち部を両手の指先で摘まめるようになる。
それを摘まんで広げる時に、静電気により密着した前記第一まち部と接続した前記平面部と前記第二まち部と接続した前記平面部の密着面にせん断方向の力が働くことにより両面を剥離させ、ポリ袋の開口部を開口することができる。
【発明を実施するための最良の形態】
【００２３】
以下、図を用いて、本発明の実施形態を例示説明する。
図１は本発明のポリ袋の第一実施形態を例示したレジ袋１０の説明図である。図２は図１のレジ袋１０の開口部の開口方法の説明図である。
図３は本発明のポリ袋の第二実施形態を例示したロール巻きポリ袋１００の説明図である。
【００２４】
［第一実施形態］
図１のレジ袋１０は、インフレーション法により、円筒状に形成した再生ポリエステルフィルムを材料とする。
【００２５】
その円筒状の再生ポリエステルフィルムを平面状に折り畳むことで再生ポリエステルフィルムの両端に折り目部３０が形成される。
それらの折り目部３０を、それぞれ円筒状の内側に折り込み、且つ内側を密接して２つ折りのシート状にする。
【００２６】
折り込むことにより、レジ袋１０の側面部が形成され、折り目部３０に垂直方向に側面部としての幅が設定される。
【００２７】
この時、一方の側面部を構成する第一まち部１５の幅を第二まち部１６の幅より2ｍｍ以上広くし且つ他方の側面部を構成する第三まち部１７より第四まち部１８の幅を2ｍｍ以上広くする。
【００２８】
形成された側面部の幅は、第一まち部１５の幅と第二まち部１６の幅の合計値になる。
同様に、第三まち部１７の幅と第四まち部１８の幅の合計値も、対向するもう一方の側面部の幅になる。
【００２９】
以上をまとめると、平面部１２の両端に第一まち部１５と第三まち部１７が接続されている。
同様に、平面部１３の両端には、第二まち部１６と第四まち部１８が接続され、第一まち部１５と第二まち部１６が接続され、第三まち部１７と第四まち部１８が接続された形状になる。
【００３０】
これを、両端の折り目部３０に平行する長さ方向に所定の間隔で且つ折り目部３０に直角方向に溶断後、その両端縁を下端部２１と上端部２２として溶着する。
【００３１】
そして、上端部２２を逆凹形状にトリミングして、開口部２０、左右の手提げ部２３、中央部の縦長状突辺２５を形成することによりレジ袋になる。
【００３２】
図１（Ｃ）にＡ−Ａ‘断面図を示している。
図は、第一まち部の幅を第二まち部の幅より2ｍｍ以上広くし且つ第三まち部より第四まち部の幅を2ｍｍ以上広くしたものを示している。
また、断面を斜線で示している。
【００３３】
次に、図２を用いて、上記レジ袋１０の開口部の開口方法について例示説明する。
【００３４】
図２（Ａ）、（Ｂ）は、レジ袋１０の第一まち部１５と第四まち部１８を両手の指先で摘んでいる斜視図とＡ−Ａ‘断面図である。
【００３５】
両図の図中の矢印はレジ袋１０の第一まち部１５と第四まち部１８を引っ張り広げる時に働く力の方向をＸ方向と−Ｘ方向で図示したものである。
【００３６】
第一まち部１５を−Ｘ方向に、第四まち部１８をＸ方向に摘まんで引っ張ることにより、第一まち部１５に接続された平面部１２は、−Ｘ方向に引っ張られ、第四まち部１８に接続された平面部１３は、Ｘ方向に引っ張られる。
【００３７】
この時、平面部１２と平面部１３に働く力は同一軸上になく、平面部１２と平面部１３の静電気による密着面にせん断方向に働き、それにより両面を剥離させることで袋の開口を行う。
【００３８】
［第二実施形態］
次に、本発明の第二実施形態を例示説明する。
【００３９】
図３（Ａ）は、本発明のロール巻きポリ袋１００を例示した斜視図である。
【００４０】
ロール巻きポリ袋１００は、インフレーション法により、連続した円筒状に形成した再生ポリエステルフィルムを材料とする。
【００４１】
その円筒状の再生ポリエステルフィルムを平面状に折り畳むことで対向する一対の平面部１２，１３が形成される。
そして、平面部１２の両端に形成された折り目部３０をそれぞれ円筒状の内側に折り込み、且つ内側を密接して２つ折りのシート状にする。
【００４２】
折り込むことにより、ロール巻きポリ袋１００の側面部が形成され、折り目部３０に垂直方向に側面部としての幅が設定される。
【００４３】
この時、一方の側面部を構成する第一まち部１５の幅を第二まち部１６の幅より2ｍｍ以上広くし且つ他方の側面部を構成する第三まち部１７より第四まち部１８の幅を2ｍｍ以上広くする。
【００４４】
形成された側面部の幅は、第一まち部１５の幅と第二まち部１６の幅の合計値になる。
同様に、第三まち部１７の幅と第四まち部１８の幅の合計値も、対向するもう一方の側面部の幅になる。
【００４５】
以上をまとめると、平面部１２の両端に第一まち部１５と第三まち部１７が接続されている。
同様に、平面部１３の両端には、第二まち部１６と第四まち部１８が接続され、第一まち部１５と第二まち部１６が接続され、第三まち部１７と第四まち部１８が接続された形状になる。
【００４６】
この状態で、ロール状に巻きながら、巻かれた方向に所定の間隔で且つ巻かれた方向に直角方向に溶着と、それに続く切り離し用点線１２０が入れられる。
【００４７】
溶着により袋底面１１０が形成され、切り離し用点線１２０に沿って切り取ることによりロール巻きポリ袋１００から切り離され、１つのポリ袋として使用できるものである。
【００４８】
尚、ロール巻きポリ袋１００から切り離され、１つのポリ袋としたものを以下、「ロール袋２００」と記述している。
【００４９】
そして、ロール巻きポリ袋１００から切り離された、切り離し点線１２０の部分は、次に、ロール巻きポリ袋から切り離されるロール袋２００の開口部２０になる。
【００５０】
図３（Ｂ）に、切り離し点線１２０で、ロール巻きポリ袋１００から切り離された状態のロール袋２００のＢ−Ｂ‘断面図を示している。
【００５１】
図は、第一まち部１５の幅を第二まち部１６の幅より2ｍｍ以上広くし且つ第三まち部１７より第四まち部１８の幅を2ｍｍ以上広くしたものを示している。
また、断面を斜線で示している。
【００５２】
次に、図３（Ｂ）を用いて、上記ロール袋２００の開口部の開口方法について例示説明する。
【００５３】
図３（Ｂ）は、ロール袋２００の第一まち部１５と第四まち部１８を両手の指先で摘んでいるＢ−Ｂ‘断面図である。
【００５４】
両図の図中の矢印はロール袋２００の第一まち部１５と第四まち部１８を引っ張り広げる時に働く力の方向をＸ方向と−Ｘ方向で図示したものである。
【００５５】
この切り離されたロール袋２００の第一まち部１５を−Ｘ方向に、第四まち部１８をＸ方向に摘まんで引っ張ることにより、第一まち部１５に接続された平面部１２は、−Ｘ方向に引っ張られ、第四まち部１８に接続された平面部１３は、Ｘ方向に引っ張られる。
【００５６】
この時、平面部１２と平面部１３に働く力は同一軸上になく、平面部１２と平面部１３の静電気による密着面にせん断方向に働き、それにより両面を剥離させることでロール袋２００の開口を行うことができる。
【００５７】
第一実施形態及び第二実施形態において、指で摘んでポリ袋の開口を促すのに適した部位は、第一まち部１５と第四まち部１８の開口部２０の両側方付近が最も効果的である。
【００５８】
さらに、第一実施形態及び第二実施形態において、第一まち部の幅と第二まち部の幅の差、及び第三まち部の幅と第四まち部の幅の差がそれぞれ２ｍｍ以上であればよいが、１５ｍｍ以上あると指先で摘まむときにさらに摘まみやすい。
【００５９】
また、「発明を実施するための最良の形態」での［第一実施形態］［第二実施形態］での説明手順は、必ずしも、実際の製造方法を示すものではない。
【００６０】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更および修正が可能である。
【図面の簡単な説明】
【００６１】
【図１（Ａ）】は、本発明の第一の実施形態に係るレジ袋の斜視図である。
【図１（Ｂ）】は、レジ袋が畳まれた状態の正面図である。
【図１（Ｃ）】は、Ａ−Ａ‘断面図である。
【図２（Ａ）】は、図１のレジ袋の開口部の開口方法を説明するための斜視図である。
【図２（Ｂ）】は、図１のＡ−Ａ‘断面図を用いた開口方法の説明図である。
【図３（Ａ）】は、本発明の第二の実施形態に係るロール巻きポリ袋を説明する斜視図ある。
【図３（Ｂ）】は、ロール袋のＢ−Ｂ‘断面図である。
【符号の説明】
【００６２】
１０                    レジ袋
１２          平面部
１３          平面部
１５          第一まち部
１６          第二まち部
１７          第三まち部
１８          第四まち部
２０          開口部
２１          下端部
２２          上端部
２３                    手提げ部
２５          縦長状突辺
３０                    折り目部
１００                ロール巻きポリ袋
２００                ロール袋（ロール巻きポリ袋から切り離されたポリ袋）
【図１（Ａ）】
2015189510.tif 000003
【図１（Ｂ）】
2015189510.tif 000004
【図１（Ｃ）】
2015189510.tif 000005
【図２（Ａ）】
2015189510.tif 000006
【図２（Ｂ）】
2015189510.tif 000007
【図３（Ａ）】
2015189510.tif 000008
【図３（Ｂ）】
2015189510.tif 000009